(57)【要約】
【課題】　車載シガーライターソケット又は家庭用１００Ｖコンセントのどちらかを使用して複数種類の電子機器を充電する。電子機器には、携帯電話、デジタルカメラ、パーソナルコンピュータが含まれる。
【解決手段】　電源側コネクタと、機器側コネクタ４と、電源側コネクタと機器側コネクタ４とを電気的に接続する電気コード９とを備える。電源側コネクタが、シガーライターソケットに着脱可能な第１電源側コネクタ１Ａと、家庭用１００Ｖコンセントに着脱可能な第２電源側コネクタ２Ａとを含む。機器側コネクタ４が、携帯電話機の入力コネクタに着脱される第１機器側コネクタ５と、デジタルカメラの入力コネクタに着脱される第２機器側コネクタ６と、パーソナルコンピュータの入力コネクタに着脱される第３機器側コネクタ７とを含む。中継コネクタ７３，７４の一方を、機器側コネクタ４又は電源側コネクタ１のいずれかに設け、他方を電気コード９の端部に設ける。
【選択図】　　　　図３
0003100192.tif 000002
【実用新案登録請求の範囲】
【請求項１】
電源としての出力コネクタに着脱可能な電源側コネクタと、電子機器に備わっている入力コネクタに抜き差しして着脱可能な機器側コネクタと、それらの電源側コネクタと機器側コネクタとを電気的に接続する電気コードとを備える充電器において、
　上記電源側コネクタが、車載シガーライターソケットでなる上記出力コネクタに着脱可能であり、
　上記機器側コネクタが、電子機器である携帯電話機の入力コネクタに着脱される第１機器側コネクタと、電子機器であるデジタルカメラの入力コネクタに着脱される第２機器側コネクタとを含み、
　第１機器側コネクタと第２機器側コネクタとのそれぞれに同一構造の第１中継コネクタが備わり、それらの第１中継コネクタに手動操作で抜き差しすることにより択一的に着脱される第２中継コネクタが、上記電源側コネクタから延び出た上記電気コードの端部に備わっていることを特徴とする充電器。
【請求項２】
上記機器側コネクタが、上記第１機器側コネクタと、上記第２機器側コネクタと、電子機器であるパーソナルコンピュータの入力コネクタに着脱される第３機器側コネクタとを含み、
　第１機器側コネクタ、第２機器側コネクタ及び第３機器側コネクタのそれぞれに同一構造の第１中継コネクタが備わり、それらの第１中継コネクタに手動操作で抜き差しすることにより択一的に着脱される第２中継コネクタが、上記電源側コネクタから延び出た上記電気コードの端部に備わっていることを特徴とする充電器。
【請求項３】
電源としての出力コネクタに着脱可能な電源側コネクタと、電子機器に備わっている入力コネクタに抜き差しして着脱可能な機器側コネクタと、それらの電源側コネクタと機器側コネクタとを電気的に接続する電気コードとを備える充電器において、
　上記電源側コネクタが、家庭用１００Ｖコンセントでなる上記出力コネクタに着脱可能であり、
　上記機器側コネクタが、電子機器である携帯電話機の入力コネクタに着脱される第１機器側コネクタと、電子機器であるデジタルカメラの入力コネクタに着脱される第２機器側コネクタとを含み、
　第１機器側コネクタと第２機器側コネクタとのそれぞれに同一構造の第１中継コネクタが備わり、それらの第１中継コネクタに手動操作で抜き差しすることにより択一的に着脱される第２中継コネクタが、上記電源側コネクタから延び出た上記電気コードの端部に備わっていることを特徴とする充電器。
【請求項４】
上記機器側コネクタが、上記第１機器側コネクタと、上記第２機器側コネクタと、電子機器であるパーソナルコンピュータの入力コネクタに着脱される第３機器側コネクタとを含み、
　第１機器側コネクタ、第２機器側コネクタ及び第３機器側コネクタのそれぞれに同一構造の第１中継コネクタが備わり、それらの第１中継コネクタに手動操作で抜き差しすることにより択一的に着脱される第２中継コネクタが、上記電源側コネクタから延び出た上記電気コードの端部に備わっていることを特徴とする充電器。
【請求項５】
電源としての出力コネクタに着脱可能な電源側コネクタと、電子機器に備わっている入力コネクタに抜き差しして着脱可能な機器側コネクタと、それらの電源側コネクタと機器側コネクタとを電気的に接続する電気コードとを備える充電器において、
　上記電源側コネクタが、車載シガーライターソケットでなる上記出力コネクタに着脱可能な第１電源側コネクタと、家庭用１００Ｖコンセントでなる上記出力コネクタに着脱可能な第２電源側コネクタとを含み、
　上記機器側コネクタが、電子機器である携帯電話機の入力コネクタに着脱される第１機器側コネクタと、電子機器であるデジタルカメラの入力コネクタに着脱される第２機器側コネクタとを含み、
　第１電源側コネクタと第２電源側コネクタとのそれぞれに同一構造の第３中継コネクタが備わり、それらの第３中継コネクタに択一的に着脱可能な第４中継コネクタが、第１機器側コネクタから延び出た上記電気コードの端部と、第２機器側コネクタから延び出た上記電気コードの端部とに各別に備わっていることを特徴とする充電器。
【請求項６】
上記第１電源側コネクタと上記第２電源側コネクタとのそれぞれに同一構造の第３中継コネクタが備わり、それらの第３中継コネクタに択一的に着脱可能な第４中継コネクタが、第１機器側コネクタから延び出た上記電気コードの端部と、第２機器側コネクタから延び出た上記電気コードの端部と、第３機器側コネクタから延び出た上記電気コードの端部とにそれぞれ備わっていることを特徴とする充電器。
【考案の詳細な説明】
【技術分野】
【０００１】
　本考案は、充電器、詳しくは、電源としての出力コネクタに着脱可能な電源側コネクタと、電子機器に備わっている入力コネクタに抜き差しして着脱可能な機器側コネクタと、それらの電源側コネクタと機器側コネクタとを電気的に接続する電気コードとを備える充電器に関する。
【背景技術】
【０００２】
　従来、この種の充電器では、電源としての出力コネクタが、自動車の車載シガーライターソケット又は家庭用１００Ｖコンセントのどちらかに特化され、また、充電対象である電子機器は、特定の入力コネクタを備えているものに特化されていた。言い換えると、充電対象である電子機器として、携帯電話機、デジタルカメラ、パーソナルコンピュータをユーザーが所有している場合、これら３種類の電子機器のそれぞれに対して仕様が特化された１つずつの充電器を所有する必要があった。また、出力コネクタとして自動車の車載シガーライターソケット又は家庭用１００Ｖコンセントのいずれをも使用したいという要求があるときには、これら２種類の出力コネクタのそれぞれに対して特化された１つずつの充電器を所有する必要があった。
【考案の開示】
【考案が解決しようとする課題】
【０００３】
　しかしながら、電子機器の種類に応じて仕様が特化された充電器を所有したり、電源としての出力コネクタの種類に応じて仕様が特化された充電器を所有したりすることには、経済的な負担が大きいだけでなく、それぞれの特化された充電器の管理や使い分けが煩わしいという問題があった。
【０００４】
　本考案は以上の問題に鑑みてなされたものであり、車載シガーライターソケット又は家庭用１００Ｖコンセントのどちらかを使用して、工具を用いない簡単な操作を行うだけで複数種類の電子機器のそれぞれに対して使い分けることのできる充電器を提供することを目的とする。
【０００５】
　また、本考案は、工具を用いない簡単な操作を行うだけで、電源としての出力コネクタとして車載シガーライターソケット又は家庭用１００Ｖコンセントを選択的に使用することができ、しかも、いずれの出力コネクタを用いた場合でも複数種類の電子機器のそれぞれに対して使い分けることのできる充電器を提供することを目的とする。
【課題を解決するための手段】
【０００６】
　本考案に係る充電器は、電源としての出力コネクタに着脱可能な電源側コネクタと、電子機器に備わっている入力コネクタに抜き差しして着脱可能な機器側コネクタと、それらの電源側コネクタと機器側コネクタとを電気的に接続する電気コードとを備える充電器において、上記電源側コネクタが、車載シガーライターソケットでなる上記出力コネクタに着脱可能であり、上記機器側コネクタが、電子機器である携帯電話機の入力コネクタに着脱される第１機器側コネクタと、電子機器であるデジタルカメラの入力コネクタに着脱される第２機器側コネクタとを含み、第１機器側コネクタと第２機器側コネクタとのそれぞれに同一構造の第１中継コネクタが備わり、それらの第１中継コネクタに手動操作で抜き差しすることにより択一的に着脱される第２中継コネクタが、上記電源側コネクタから延び出た上記電気コードの端部に備わっている、というものである。
【０００７】
　また、上記機器側コネクタが、上記第１機器側コネクタと、上記第２機器側コネクタと、電子機器であるパーソナルコンピュータの入力コネクタに着脱される第３機器側コネクタとを含み、第１機器側コネクタ、第２機器側コネクタ及び第３機器側コネクタのそれぞれに同一構造の第１中継コネクタが備わり、それらの第１中継コネクタに手動操作で抜き差しすることにより択一的に着脱される第２中継コネクタが、上記電源側コネクタから延び出た上記電気コードの端部に備わっているものであってもよい。
【０００８】
　この考案によれば、第２中継コネクタを第１機器側コネクタの第１中継コネクタに装着することによって、シガーライターソケットから出力させた電力を携帯電話機の充電に使用することができるようになる。同様に、第２中継コネクタを第２機器側コネクタの第１中継コネクタに装着することによって、シガーライターソケットから出力させた電力をデジタルカメラの充電に使用することができるようになる。さらに、第２中継コネクタを第３機器側コネクタの第１中継コネクタに装着することによって、シガーライターソケットから出力させた電力をパーソナルコンピュータの充電に使用することができるようになる。
【０００９】
　本考案に係る他の充電器は、電源としての出力コネクタに着脱可能な電源側コネクタと、電子機器に備わっている入力コネクタに抜き差しして着脱可能な機器側コネクタと、それらの電源側コネクタと機器側コネクタとを電気的に接続する電気コードとを備える充電器において、上記電源側コネクタが、家庭用１００Ｖコンセントでなる上記出力コネクタに着脱可能であり、上記機器側コネクタが、電子機器である携帯電話機の入力コネクタに着脱される第１機器側コネクタと、電子機器であるデジタルカメラの入力コネクタに着脱される第２機器側コネクタとを含み、第１機器側コネクタと第２機器側コネクタとのそれぞれに同一構造の第１中継コネクタが備わり、それらの第１中継コネクタに手動操作で抜き差しすることにより択一的に着脱される第２中継コネクタが、上記電源側コネクタから延び出た上記電気コードの端部に備わっている、というものである。
【００１０】
　また、上記機器側コネクタが、上記第１機器側コネクタと、上記第２機器側コネクタと、電子機器であるパーソナルコンピュータの入力コネクタに着脱される第３機器側コネクタとを含み、第１機器側コネクタ、第２機器側コネクタ及び第３機器側コネクタのそれぞれに同一構造の第１中継コネクタが備わり、それらの第１中継コネクタに手動操作で抜き差しすることにより択一的に着脱される第２中継コネクタが、上記電源側コネクタから延び出た上記電気コードの端部に備わっているものであってもよい。
【００１１】
　この考案によれば、第２中継コネクタを第１機器側コネクタの第１中継コネクタに装着することによって、家庭用１００Ｖコンセントから出力させた電力を携帯電話機の充電に使用することができるようになる。同様に、第２中継コネクタを第２機器側コネクタの第１中継コネクタに装着することによって、家庭用１００Ｖコンセントから出力させた電力をデジタルカメラの充電に使用することができるようになる。さらに、第２中継コネクタを第３機器側コネクタの第１中継コネクタに装着することによって、家庭用１００Ｖコンセントから出力させた電力をパーソナルコンピュータの充電に使用することができるようになる。
【００１２】
　本考案に係るさらに他の充電器は、電源としての出力コネクタに着脱可能な電源側コネクタと、電子機器に備わっている入力コネクタに抜き差しして着脱可能な機器側コネクタと、それらの電源側コネクタと機器側コネクタとを電気的に接続する電気コードとを備える充電器において、上記電源側コネクタが、車載シガーライターソケットでなる上記出力コネクタに着脱可能な第１電源側コネクタと、家庭用１００Ｖコンセントでなる上記出力コネクタに着脱可能な第２電源側コネクタとを含み、上記機器側コネクタが、電子機器である携帯電話機の入力コネクタに着脱される第１機器側コネクタと、電子機器であるデジタルカメラの入力コネクタに着脱される第２機器側コネクタとを含み、第１電源側コネクタと第２電源側コネクタとのそれぞれに同一構造の第３中継コネクタが備わり、それらの第３中継コネクタに択一的に着脱可能な第４中継コネクタが、第１電源側コネクタから延び出た上記電気コードの端部と、第２電源側コネクタから延び出た上記電気コードの端部とに各別に備わっている、というものである。
【００１３】
　また、上記第１電源側コネクタと上記第２電源側コネクタとのそれぞれに同一構造の第３中継コネクタが備わり、それらの第３中継コネクタに択一的に着脱可能な第４中継コネクタが、第１機器側コネクタから延び出た上記電気コードの端部と、第２機器側コネクタから延び出た上記電気コードの端部と、第３機器側コネクタから延び出た上記電気コードの端部とにそれぞれ備わっているものであってもよい。
【００１４】
　この考案によれば、第１電源側コネクタと第２電源側コネクタとのいずれかを選択することによって、出力コネクタとしての車載シガーライターソケットと家庭用１００Ｖコンセントとを使い分けることができる。また、第１機器側コネクタ、第２機器側コネクタ、第３機器側コネクタのいずれかを選択することによって、充電対象となる電子機器を選択することができる。そして、選択した出力コネクタの第３中継コネクタに、選択した電子機器に対応する機器側コネクタから延び出た電気コードの端部の第４中継コネクタを装着することによって、選択した出力コネクタの出力を、選択した電子機器の充電に使用することができる。
【考案の効果】
【００１５】
　以上のように、本考案によれば、車載シガーライターソケット又は家庭用１００Ｖコンセントのどちらかを使用して、工具を用いない簡単な操作を行うだけで、携帯電話機又はデジタルカメラ、さらにはパーソナルコンピュータを充電することが可能になる。
【００１６】
　すなわち、請求項１記載の考案に係る充電器によれば、工具を用いない手動操作によって、車載シガーライターソケットを電源として携帯電話機にもデジタルカメラにも充電することが可能になり、請求項２記載の考案に係る充電器によれば、さらにパーソナルコンピュータにも充電することが可能になる。
【００１７】
　また、請求項３に係る充電器によれば、工具を用いない手動操作によって、家庭用１００Ｖコンセントを電源として携帯電話機にもデジタルカメラにも充電することが可能になり、請求項４記載の考案に係る充電器によれば、さらにパーソナルコンピュータにも充電することが可能になる。
【００１８】
　さらに、請求項５記載の考案に係る充電器によれば、工具を用いない手動操作によって、出力コネクタとして車載シガーライターソケット又は家庭用１００Ｖコンセントを電源として選択することができ、そのうちのいずれの電源を用いた場合でも、携帯電話機にもデジタルカメラにも充電することが可能になり、請求項６記載の考案に係る充電器によれば、さらにパーソナルコンピュータにも充電することが可能になる。
【考案を実施するための最良の形態】
【００１９】
　図１は請求項１又は請求項２に係る考案の実施形態を示した説明図である。この充電器は、電源としての出力コネクタに着脱可能な電源側コネクタ１と、電子機器に備わっている入力コネクタに抜き差しして着脱可能な機器側コネクタ４と、それらの電源側コネクタ１と機器側コネクタ４とを電気的に接続する電気コード９とを備えている。
【００２０】
　そして、電源側コネクタ１は、車載シガーライターソケットでなる出力コネクタ（不図示）に着脱可能な仕様になっている。すなわち、図例の電源側コネクタ１では、車載シガーライターソケットに対する差込部１１に中心電極１２と接片１３とが備わっている。１４は把手部である。
【００２１】
　機器側コネクタ４は、電子機器である携帯電話機の入力コネクタ（不図示）に着脱される第１機器側コネクタ５と、電子機器であるデジタルカメラの入力コネクタ（不図示）に着脱される第２機器側コネクタ６とを含んでいる。そして、第１機器側コネクタ５と第２機器側コネクタ６とのそれぞれに同一構造の第１中継コネクタ７１が備わっている。これに対し、電源側コネクタ１から延び出た電気コード９の端部に第２中継コネクタ７２が備わっていて、この第２中継コネクタ７２は、第１機器側コネクタ５と第２機器側コネクタ６とのそれぞれの第１中継コネクタ７１に手動操作で抜き差しすることにより着脱することができるようになっている。
【００２２】
　以上のように構成された充電器では、第２中継コネクタ７２を第１機器側コネクタ５の第１中継コネクタ７１に装着し、シガーライターソケットに電源側コネクタ１の差込部１１を差し込み、併せて、第１機器側コネクタ５を携帯電話機の入力コネクタに差し込んで接続することによって、シガーライターソケットの電力で携帯電話機を充電することが可能である。また、第２中継コネクタ７２を第２機器側コネクタ６の第１中継コネクタ７１に装着し、シガーライターソケットに電源側コネクタ１の差込部１１を差し込み、併せて、第２機器側コネクタ６をデジタルカメラの入力コネクタに差し込んで接続することによって、シガーライターソケットの電力でデジタルカメラを充電することが可能である。
【００２３】
　以上説明したものは、機器側コネクタ４が、第１機器側コネクタ５と第２機器側コネクタ６とを含んでいるけれども、デジタルカメラに対応している第２機器側コネクタ６は、電子機器であるパーソナルコンピュータの入力コネクタに対する機器側コネクタの仕様に適合している場合がある。その場合には、その第２機器側コネクタ６を、パーソナルコンピュータの入力コネクタに着脱される第３機器側コネクタ７として使用することが可能であって、その第３機器側コネクタ７をパーソナルコンピュータの入力コネクタに差し込んで接続することによって、シガーライターソケットの電力でパーソナルコンピュータを充電することが可能である。
【００２４】
　図２は請求項３又は請求項４に係る考案の実施形態を示した説明図である。この充電器は、図１で説明した電源側コネクタ１を、家庭用１００Ｖコンセントでなる出力コネクタ（不図示）に着脱可能な仕様になっている電源側コネクタ２に置き換えた点が図１で説明した充電器と異なっているだけであり、その電源側コネクタ２には、上記コンセントに挿抜される２極刃２１が備わっている。その他の点は、図１で説明したところと同様である。したがって、第２中継コネクタ７２を第１機器側コネクタ５の第１中継コネクタ７１に装着し、家庭用１００Ｖコンセントに電源側コネクタ２の２極刃２１を差し込み、併せて、第１機器側コネクタ５を携帯電話機の入力コネクタに差し込んで接続することによって、家庭用１００Ｖコンセントの電力で携帯電話機を充電することが可能である。また、第２中継コネクタ７２を第２機器側コネクタ６の第１中継コネクタ７１に装着し、家庭用１００Ｖコンセントに電源側コネクタ２の２極刃２１を差し込み、併せて、第２機器側コネクタ６をデジタルカメラの入力コネクタに差し込んで接続することによって、シガーライターソケットの電力でデジタルカメラを充電することが可能である。さらに、デジタルカメラに対応している第２機器側コネクタ６が、電子機器であるパーソナルコンピュータの入力コネクタに対する機器側コネクタの仕様に適合している場合には、その第２機器側コネクタ６を、パーソナルコンピュータの入力コネクタに着脱される第３機器側コネクタ７として使用することが可能であって、その第３機器側コネクタ７をパーソナルコンピュータの入力コネクタに差し込んで接続することによって、家庭用１００Ｖコンセントの電力でパーソナルコンピュータを充電することが可能である。
【００２５】
　図３は請求項５又は請求項６に係る考案の実施形態を示した説明図である。この充電器は、電源側コネクタが、車載シガーライターソケットでなる出力コネクタ（不図示）に着脱可能な第１電源側コネクタ（図１で説明した電源側コネクタ１と同じ構成を有する）１Ａと、家庭用１００Ｖコンセントでなる出力コネクタ（不図示）に着脱可能な仕様になっている第２電源側コネクタ（図２で説明した電源側コネクタ２と同じ構成を有する）２Ａとを含んでいる。また、機器側コネクタ４が、電子機器である携帯電話機の入力コネクタに着脱される第１機器側コネクタ５と、電子機器であるデジタルカメラの入力コネクタに着脱される第２機器側コネクタ６とを含んでいる。さらに、第１電源側コネクタ１Ａと第２電源側コネクタ２Ａとのそれぞれに同一構造の第３中継コネクタ７３が備わり、それらの第３中継コネクタ７３に択一的に着脱可能な第４中継コネクタ７４が、第１機器側コネクタ５から延び出た電気コード９の端部と、第２機器側コネクタ６から延び出た電気コード９の端部とに各別に備わっている。
【００２６】
　以上のように構成された充電器では、第１機器側コネクタ５から延び出ている電気コード９の端部の第４中継コネクタ７４を第１電源側コネクタ１Ａの第３中継コネクタ７３に装着し、シガーライターソケットに第１電源側コネクタ１Ａの差込部１１を差し込み、併せて、第１機器側コネクタ５を携帯電話機の入力コネクタに差し込んで接続することによって、シガーライターソケットの電力で携帯電話機を充電することが可能である。また、第１機器側コネクタ５から延び出ている電気コード９の端部の第４中継コネクタ７４を第２電源側コネクタ２Ａの第３中継コネクタ７３に装着し、家庭用１００Ｖコンセントに第２電源側コネクタ２Ａの２極刃２１を差し込み、併せて、第１機器側コネクタ５を携帯電話機の入力コネクタに差し込んで接続することによって、家庭用１００Ｖコンセントの電力で携帯電話機を充電することが可能である。
【００２７】
　これに対し、第２機器側コネクタ６から延び出ている電気コード９の端部の第４中継コネクタ７４を第２電源側コネクタ２Ａの第３中継コネクタ７３に装着し、家庭用１００Ｖコンセントに第２電源側コネクタ２Ａの２極刃２１を差し込み、併せて、第２機器側コネクタ６をデジタルカメラの入力コネクタに差し込んで接続することによって、家庭用１００Ｖコンセントの電力でデジタルカメラを充電することが可能である。また、第２機器側コネクタ６から延び出ている電気コード９の端部の第４中継コネクタ７４を第２電源側コネクタ２Ａの第３中継コネクタ７３に装着し、家庭用１００Ｖコンセントに第２電源側コネクタ２Ａの２極刃２１を差し込み、併せて、第２機器側コネクタ６をデジタルカメラの入力コネクタに差し込んで接続することによって、家庭用１００Ｖコンセントの電力でデジタルカメラを充電することが可能である。
【００２８】
　以上説明したものは、機器側コネクタ４が、第１機器側コネクタ５と第２機器側コネクタ６とを含んでいるけれども、デジタルカメラに対応している第２機器側コネクタ６が、電子機器であるパーソナルコンピュータの入力コネクタに対する機器側コネクタの仕様にも適合している場合には、その第２機器側コネクタ６を、パーソナルコンピュータの入力コネクタに着脱される第３機器側コネクタ７として使用することが可能であって、その第３機器側コネクタ７をパーソナルコンピュータの入力コネクタに差し込んで接続することによって、シガーライターソケット又は家庭用１００Ｖコンセントの電力でパーソナルコンピュータを充電することが可能である。
【図面の簡単な説明】
【００２９】
【図１】請求項１又は請求項２に係る考案の実施形態を示した説明図である。
【図２】請求項３又は請求項４に係る考案の実施形態を示した説明図である。
【図３】請求項５又は請求項６に係る考案の実施形態を示した説明図である。
【符号の説明】
【００３０】
　１，２　電源側コネクタ
　１Ａ　第１電源側コネクタ
　２Ａ　第２電源側コネクタ
　４　機器側コネクタ
　５　第１機器側コネクタ
　６　第２機器側コネクタ
　７　第３機器側コネクタ
　９　電気コード
　７１　第１中継コネクタ
　７２　第２中継コネクタ
【図１】
0003100192.tif 000003
【図２】
0003100192.tif 000004
【図３】
0003100192.tif 000005
【手続補正書】
【提出日】平成15年10月31日(2003.10.31)
【手続補正１】
【補正対象書類名】実用新案登録請求の範囲
【補正対象項目名】全文
【補正方法】変更
【補正の内容】
【実用新案登録請求の範囲】
【請求項１】
電源としての出力コネクタに着脱可能な電源側コネクタと、電子機器に備わっている入力コネクタに抜き差しして着脱可能な機器側コネクタと、それらの電源側コネクタと機器側コネクタとを電気的に接続する電気コードとを備える充電器において、
　上記電源側コネクタが、車載シガーライターソケットでなる上記出力コネクタに着脱可能であり、
　上記機器側コネクタが、電子機器である携帯電話機の入力コネクタに着脱される第１機器側コネクタと、電子機器であるデジタルカメラの入力コネクタに着脱される第２機器側コネクタとを含み、
　第１機器側コネクタと第２機器側コネクタとのそれぞれに同一構造の第１中継コネクタが備わり、それらの第１中継コネクタに手動操作で抜き差しすることにより択一的に着脱される第２中継コネクタが、上記電源側コネクタから延び出た上記電気コードの端部に備わっていることを特徴とする充電器。
【請求項２】
上記機器側コネクタが、上記第１機器側コネクタと、上記第２機器側コネクタと、電子機器であるパーソナルコンピュータの入力コネクタに着脱される第３機器側コネクタとを含み、
　第１機器側コネクタ、第２機器側コネクタ及び第３機器側コネクタのそれぞれに同一構造の第１中継コネクタが備わり、それらの第１中継コネクタに手動操作で抜き差しすることにより択一的に着脱される第２中継コネクタが、上記電源側コネクタから延び出た上記電気コードの端部に備わっていることを特徴とする請求項１に記載の充電器。
【請求項３】
電源としての出力コネクタに着脱可能な電源側コネクタと、電子機器に備わっている入力コネクタに抜き差しして着脱可能な機器側コネクタと、それらの電源側コネクタと機器側コネクタとを電気的に接続する電気コードとを備える充電器において、
　上記電源側コネクタが、家庭用１００Ｖコンセントでなる上記出力コネクタに着脱可能であり、
　上記機器側コネクタが、電子機器である携帯電話機の入力コネクタに着脱される第１機器側コネクタと、電子機器であるデジタルカメラの入力コネクタに着脱される第２機器側コネクタとを含み、
　第１機器側コネクタと第２機器側コネクタとのそれぞれに同一構造の第１中継コネクタが備わり、それらの第１中継コネクタに手動操作で抜き差しすることにより択一的に着脱される第２中継コネクタが、上記電源側コネクタから延び出た上記電気コードの端部に備わっていることを特徴とする充電器。
【請求項４】
上記機器側コネクタが、上記第１機器側コネクタと、上記第２機器側コネクタと、電子機器であるパーソナルコンピュータの入力コネクタに着脱される第３機器側コネクタとを含み、
　第１機器側コネクタ、第２機器側コネクタ及び第３機器側コネクタのそれぞれに同一構造の第１中継コネクタが備わり、それらの第１中継コネクタに手動操作で抜き差しすることにより択一的に着脱される第２中継コネクタが、上記電源側コネクタから延び出た上記電気コードの端部に備わっていることを特徴とする請求項３に記載の充電器。
【請求項５】
電源としての出力コネクタに着脱可能な電源側コネクタと、電子機器に備わっている入力コネクタに抜き差しして着脱可能な機器側コネクタと、それらの電源側コネクタと機器側コネクタとを電気的に接続する電気コードとを備える充電器において、
　上記電源側コネクタが、車載シガーライターソケットでなる上記出力コネクタに着脱可能な第１電源側コネクタと、家庭用１００Ｖコンセントでなる上記出力コネクタに着脱可能な第２電源側コネクタとを含み、
　上記機器側コネクタが、電子機器である携帯電話機の入力コネクタに着脱される第１機器側コネクタと、電子機器であるデジタルカメラの入力コネクタに着脱される第２機器側コネクタとを含み、
　第１電源側コネクタと第２電源側コネクタとのそれぞれに同一構造の第３中継コネクタが備わり、それらの第３中継コネクタに択一的に着脱可能な第４中継コネクタが、第１機器側コネクタから延び出た上記電気コードの端部と、第２機器側コネクタから延び出た上記電気コードの端部とに各別に備わっていることを特徴とする充電器。
【請求項６】
上記第１電源側コネクタと上記第２電源側コネクタとのそれぞれに同一構造の第３中継コネクタが備わり、それらの第３中継コネクタに択一的に着脱可能な第４中継コネクタが、第１機器側コネクタから延び出た上記電気コードの端部と、第２機器側コネクタから延び出た上記電気コードの端部と、第３機器側コネクタから延び出た上記電気コードの端部とにそれぞれ備わっていることを特徴とする請求項５に記載の充電器。